(57)【要約】【課題】会員又は顧客がパソコンにてメールを受け取るか、携帯電話でメールを受け取るかにかかわらず電子メールを配信する装置及び方法を提供する。【解決手段】会員又は顧客に発信する電子メールを生成しメール送信を要求するメール送信要求コンピュータと、インターネットとの間に配置する電子メール配信装置であって、判別コンピュータと、それに接続された複数の携帯電話機とを有し、前記判別コンピュータは、前記メール送信要求コンピュータから送出された電子メールの内容を解析するメール内容解析手段と、該メール内容解析手段の解析結果に従い、コンピュータメールとしてインターネットに直接配信するか、携帯電話機から配信するかを決定する配信切り分け手段とを有する。【選択図】図１
2005167928.tif 000002
【特許請求の範囲】
【請求項１】
会員又は顧客に発信する電子メールを生成しメール送信を要求するメール送信要求コンピュータと、インターネットとの間に配置する電子メール配信装置であって、
判別コンピュータと、それに接続された複数の携帯電話機とを有し、
前記判別コンピュータは、
前記メール送信要求コンピュータから送出された電子メールの内容を解析するメール内容解析手段と、
該メール内容解析手段の解析結果に従い、コンピュータメールとしてインターネットに直接配信するか、携帯電話機から配信するかを決定する配信切り分け手段と
を有することを特徴とする電子メール配信装置。
【請求項２】
請求項１記載の電子メール配信装置であって、
前記メール内容解析手段は、メールのヘッダ情報を解析し、
前記配信切り分け手段は、ヘッダ情報にしたがって、配信先を直接インターネットにするか、複数の携帯電話機のいずれかにするかを決定する
ことを特徴とする電子メール配信装置。
【請求項３】
請求項１記載の電子メール配信装置であって、
前記メール内容解析手段は、メールの本文で先頭指定情報を解析し、
前記配信切り分け手段は、本文の先頭指定情報にしたがって、配信先を直接インターネットにするか、複数の携帯電話機のいずれかにするかを決定する
ことを特徴とする電子メール配信装置。
【請求項４】
会員又は顧客に発信する電子メールを生成しメール送信を要求するメール送信要求コンピュータと、インターネットとの間に配置する電子メール配信装置の電子メール配信方法であって、
前記メール送信要求コンピュータから送出された電子メールの内容を解析するメール内容解析段階と、
該メール内容解析段階の解析結果に従い、コンピュータメールとしてインターネットに直接配信するか、携帯電話機から配信するかを決定する配信切り分け段階と、
該配信切り分け段階により、決定された配信先に電子メールを送信する電子メール配信段階と
を有することを特徴とする電子メール配信方法。
【請求項５】
請求項４記載の電子メール配信方法であって、
前記メール内容解析段階にて、メールのヘッダ情報を解析し、
前記配信切り分け段階にて、ヘッダ情報にしたがって、配信先を直接インターネットにするか、複数の携帯電話機のいずれかにするかを決定する
ことを特徴とする電子メール配信方法。
【請求項６】
請求項４記載の電子メール配信方法であって、
前記メール内容解析段階にて、メールの本文で先頭指定情報を解析し、
前記配信切り分け段階にて、本文の先頭指定情報にしたがって、配信先を直接インターネットにするか、複数の携帯電話機のいずれかにするかを決定する
ことを特徴とする電子メール配信方法。
【発明の詳細な説明】
【技術分野】
【０００１】
本発明は、会員又は顧客に対して電子メールを配信するシステム及び方法に関する。
【背景技術】
【０００２】
特許文献１には、インターネットサービス・プロバイダネットワーク、インターネット、携帯電話会社ネットワーク、携帯電話機、を有して構成されるシステムにおいて、メール転送を希望する携帯電話機のメール転送先のアドレスとメール転送を行うフィルタの内容とによりメール転送フィルタを設定し、設定したメール転送フィルタの内容と一致する受信メールを、携帯電話機のメール転送先のアドレスに転送する。また、メール転送を行うフィルタの内容と一致しない受信メールをそのまま保存するシステムが開示されている。これにより、受信メールの携帯電話機への選択的転送機能が構成され、必要とするメールの選択的な転送と、全体および要点の把握と、要点に伴う個々のメールへのアクセスとが可能となる。
【０００３】
【特許文献１】特開２００２−８４３０９号公報
【発明の開示】
【発明が解決しようとする課題】
【０００４】
特許文献１は、携帯電話のフィルタ設定に合致したメール転送をするための技術であった。本願の発明者は、近時の携帯電話がコンピュータメールを受信しない設定にできる機能を備えていることにかんがみ、その場合でも、適切な電子メール送信をする方法がないかと考えた。そして、さまざまな条件下で、実験を繰り返したところ、ついに、比較的簡易な構成にてこれを実現する装置及び方法を得ることができた。本発明の目的は、会員又は顧客がパソコンにてメールを受け取るか、携帯電話でメールを受け取るかにかかわらず電子メールを配信する装置及び方法を提供することにある。
【課題を解決するための手段】
【０００５】
本発明にかかる電子メール配信装置は、会員又は顧客に発信する電子メールを生成しメール送信を要求するメール送信要求コンピュータと、インターネットとの間に配置する電子メール配信装置であって、判別コンピュータと、それに接続された複数の携帯電話機とを有し、前記判別コンピュータは、前記メール送信要求コンピュータから送出された電子メールの内容を解析するメール内容解析手段と、該メール内容解析手段の解析結果に従い、コンピュータメールとしてインターネットに直接配信するか、携帯電話機から配信するかを決定する配信切り分け手段とを有するものである。
【０００６】
請求項２に記載された発明は、前記電子メール配信装置であって、前記メール内容解析手段は、メールのヘッダ情報を解析し、前記配信切り分け手段は、ヘッダ情報にしたがって、配信先を直接インターネットにするか、複数の携帯電話機のいずれかにするかを決定するものである。
【０００７】
請求項３に記載された発明は、前記電子メール配信装置であって、前記メール内容解析手段は、メールの本文で先頭指定情報を解析し、前記配信切り分け手段は、本文の先頭指定情報にしたがって、配信先を直接インターネットにするか、複数の携帯電話機のいずれかにするかを決定するものである。
【０００８】
本発明にかかる電子メール配信方法は、会員又は顧客に発信する電子メールを生成しメール送信を要求するメール送信要求コンピュータと、インターネットとの間に配置する電子メール配信装置の電子メール配信方法であって、前記メール送信要求コンピュータから送出された電子メールの内容を解析するメール内容解析段階と、該メール内容解析段階の解析結果に従い、コンピュータメールとしてインターネットに直接配信するか、携帯電話機から配信するかを決定する配信切り分け段階と、該配信切り分け段階により、決定された配信先に電子メールを送信する電子メール配信段階とを有するものである。
【０００９】
請求項５に記載された発明は、前記電子メール配信方法であって、前記メール内容解析段階にて、メールのヘッダ情報を解析し、前記配信切り分け段階にて、ヘッダ情報にしたがって、配信先を直接インターネットにするか、複数の携帯電話機のいずれかにするかを決定するものである。
【００１０】
請求項６に記載された発明は、前記電子メール配信方法であって、前記メール内容解析段階にて、メールの本文で先頭指定情報を解析し、前記配信切り分け段階にて、本文の先頭指定情報にしたがって、配信先を直接インターネットにするか、複数の携帯電話機のいずれかにするかを決定するものである。
【発明の効果】
【００１１】
本発明により、会員又は顧客がパソコンでメールを受けるか、携帯電話でメールを受けるかにかかわらず、適切な手段にて電子メールを配信することが可能になる。
【発明を実施するための最良の形態】
【００１２】
以下、図面を参照しつつ、本発明にかかる電子メール配信装置及び電子メール配信方法を説明する。
【００１３】
図１は、本発明の電子メール配信装置の構成を示すブロック図である。本発明に係る電子メール配信装置１００は、メール送信要求コンピュータ５０と、インターネット１０との間に配置される。メール送信要求コンピュータ５０は、送信する電子メールの内容を決定し、メール送信を要求するコンピュータであり、例えば、会員管理システムであったり、ウェブ上のバーチャルショップのコンピュータであったりするものである。インターネット１０は、現在ウェブとして、全世界に普及しているコンピュータネットワークであるが、パソコン機器と携帯電話機とが混在してつながるネットワークであれば、他のネットワークにも応用できる。
【００１４】
電子メール配信装置１００は、判別コンピュータ１１０及び、携帯電話機１２１，１２２，１２３とからなる。ここでは、携帯電話機を三台接続する構成としたが、さらに多数の携帯電話機を接続する構成とすることもできる。判別コンピュータ１１０は、メール送信要求コンピュータ５０からの要求に基づいて、メール内容を解析した上で、配信を振り分けて、直接インターネット１０に配信するか、携帯電話機１２１，１２２，１２３のいずれかを介し、さらに、携帯電話網９１，９２，９３のいずれかを介して配信するかを判別するコンピュータである。
【００１５】
判別コンピュータ１１０は、少なくとも二つの機能を有し、それに伴い二つの手段を有する。メール内容解析手段１１１と、配信切り分け手段１１２である。メール内容解析手段１１１は、メール送信要求コンピュータから出されたメール内容を見て、ｆｒｏｍ／ｔｏその他のヘッダ情報、本文での先頭指定［ｐｏｒｔ＝ｂ］の条件を解析する。配信切り分け手段は、それに伴い、発信すべき端末が、コンピュータであるか、携帯電話であるかを切り分ける。携帯電話である場合は、その媒体がどこであるか、どの電話会社であるかを見たうえで適切な携帯電話に発信させる。場合によっては、相手の携帯電話会社の媒体の違いにより、メール情報に対し適切な加工を加えることとしてもよい。媒体により、表示する形態や、表示方法が異なるからである。
【産業上の利用可能性】
【００１６】
会員又は顧客の相手先端末がパソコンであっても携帯電話機であっても、適切な配信が可能となる。とりわけ、メール受信者が受信可能な送信元から発信することにより、携帯電話で受信するメール設定を「携帯電話のみ」に設定していても受信可能になる。
【図面の簡単な説明】
【００１７】
【図１】本発明の電子メール配信装置の構成を示すブロック図である。
【符号の説明】
【００１８】
２１，２２，２３，２４  顧客パソコン
３１，３２，３３  顧客携帯電話
５０  メール送信要求コンピュータ
９１，９２，９３  携帯電話網
１００  電子メール配信装置
１１０  判別コンピュータ
１１１  メール内容解析手段
１１２  配信切り分け手段
１２１，１２２，１２３  携帯電話機
【図１】
2005167928.tif 000003